(57)【特許請求の範囲】
【請求項１】
医療廃棄物を収納する容器本体、該容器本体の上面に取付け形成され、かつ、長方形状の長穴が形成された上面板、該上面板の前記長穴に取付け取外し自在に配設され、かつ、医療廃棄物投入口を有する投入口部材、前記上面板にヒンジ連結され、前記投入口部材に対して閉蓋・開蓋される蓋体からなる医療廃棄物用容器において、
前記蓋体６には弾性変位可能な鉤形フック１１が形成されるとともに塑性変形可能な台形状フック支持板１７に連接された恒久ロック用フック１８が設けられ、前記上面板３には前記鉤形フックと係合する段部１２が形成されるとともに前記恒久ロック用フックと係合する恒久ロック用フックと係合する恒久ロック用段部１９が形成され、前記鉤形フックと前記段部１２との係合を解除するつまみ１３が前記鉤形フックに形成され、閉蓋したときに前記鉤形フックと前記段部１２が係合し、前記つまみの押動で前記鉤形フックが弾性変位して前記段部１２との係合が解かれて開蓋可能状態となるようにされており、
閉蓋状態で前記台形状フック支持板の押込みにより該支持板が塑性変形して前記恒久ロック用フックと前記恒久ロック用段部１９とが係合するようにされており、
前記蓋体のヒンジ部に隣接して該蓋体１０６および前記上面板１０３に弾性変形による係合・離脱可能な係合用ツメ１０７，１０４が形成され、前記蓋体の開蓋時に前記係合用ツメどうしが係合して前記蓋体が前記上面板に対して起立状態に保持され、前記係合用ツメどうしの係合は、前記蓋体の強制付勢力で該係合用ツメの弾性変形により離脱し、これによって前記蓋体は前記起立状態から容器本体１０２の背面側への転倒状態へ、前記背面側への転倒状態から起立状態〜蓋閉状態へと回動可能となるようにされており、
前記投入口部材４は前記上面板３の前記長方形状の長穴３ａに対して脱着可能であり、前記投入口部材の除去後の前記上面板の前記長穴を嵩物医療廃棄物の投入口５とし、前記投入口部材４の投入口５は、廃棄注射器の外形に合わせた形状に形成されることを特徴とする医療廃棄物用容器。
【請求項２】
前記投入口部材１４の前記投入口は注射針用投入口１５であり、該注射針用投入口１５には、徐々に幅径を狭くする溝部からなる注射針除去部１５ａを連接し、注射針の基端部が掛止される溝幅位置まで注射器を移動させた後、注射器を上方に引き上げ注射針を除去することを特徴とする請求項１に記載の医療廃棄物用容器。
【請求項３】
前記容器本体の上面板３には、複数個の容器を上下方向に積み重ねをするための係合用段部９を形成することを特徴とする請求項１又は２に記載の医療廃棄物用容器。
【発明の詳細な説明】
【技術分野】
【０００１】
本発明は、医療機関等で廃棄される注射器等の治療部材を安全に収納して処分することができる医療廃棄物用容器に関する。
【背景技術】
【０００２】
近年、病院等で廃棄される注射器、注射針、薬物、ガーゼ、包帯等の治療部材等の取り扱いが感染や環境汚染などの問題となっていることから、これらの医療廃棄物を容器に安全に収納し、最終的に蓋を閉止した後は開蓋できないようにし、そして容器ごと医療廃棄物として焼却処理等するという処理方法が実施されている。そして、そのための専用の容器が案出されている。
この医療廃棄物用容器として、本願と同じ発明者による医療廃棄物用容器（特許文献１参照）が存在し、これは密閉性に優れ蓋の開閉及び開蓋維持が容易であるとともに廃棄に際しては恒久的な閉蓋状態とすることができるという使いやすく優れたものである。
また下記特許文献２は、使用済み注射器専用の医療廃棄物用容器であり、上述した医療廃棄物用容器よりも小型な形状であり、注射器や注射針を投入しやすい構造としている。
【特許文献１】実開平６−３９０６号公報
【特許文献２】特開２００３−２８５８５６号公報
【発明の開示】
【発明が解決しようとする課題】
【０００３】
この使用済み注射器専用の医療廃棄物用容器にあっては、使用済み注射器から注射針を取り外してその注射器本体と注射針を投入する構造である。しかし、使用者によっては注射器を注射針が付いたままの状態で容器に投入することや、注射針だけを投入することを希望するという種々の使い方の要望があった。これら使用者の要望に応じて複数種の医療廃棄物用容器を設計し、製造し、管理することは多大な手間とコストを要するものであった。
【０００４】
そこで本発明にあっては、使用者の要望に応じて使用済みの注射針や注射器等の廃棄物処理の使い方を自在に選択することができるとともに、これらを安全に収納して廃棄することができる医療廃棄物用容器を提供することを目的とする。  
【０００５】
また、注射器等使用済みの医療廃棄物を廃棄するための医療廃棄物用容器において、医師、看護師等の使用者は、医療廃棄物を廃棄した後、血液や薬剤が付着した蓋体にできるだけ触れずに、容易かつ迅速に開閉したいという要望があった。
【０００６】
一方で、回診等で医療廃棄物用容器を台車に載せて運ぶ際には、その都度、蓋体を開閉することなく四方から注射器等使用済みの医療廃棄物を廃棄したいという要望があった。さらには、運搬時にも容器が倒れることなく安定した状態で載置したいという要望があった。
【０００７】
そこで本発明にあっては、用途に応じて蓋体の開閉角度を選択することができるとともに、運搬時にも容器本体が倒れることなく安定した状態で載置することのできる医療廃棄物容器を提供することを目的とする。
【課題を解決するための手段】
【０００８】
上述した課題を解決するため、本発明の医療廃棄物用容器は、医療廃棄物を収納する容器本体、該容器本体の上面に取付け形成され、かつ、長方形状の長穴が形成された上面板、該上面板の前記長穴に取付け取外し自在に配設され、かつ、医療廃棄物投入口を有する投入口部材、前記上面板にヒンジ連結され、前記投入口部材に対して閉蓋・開蓋される蓋体からなる医療廃棄物用容器において、前記蓋体６には弾性変位可能な鉤形フック１１が形成されるとともに塑性変形可能な台形状フック支持板１７に連接された恒久ロック用フック１８が設けられ、前記上面板３には前記鉤形フックと係合する段部１２が形成されるとともに前記恒久ロック用フックと係合する恒久ロック用フックと係合する恒久ロック用段部１９が形成され、前記鉤形フックと前記段部１２との係合を解除するつまみ１３が前記鉤形フックに形成され、閉蓋したときに前記鉤形フックと前記段部１２が係合し、前記つまみの押動で前記鉤形フックが弾性変位して前記段部１２との係合が解かれて開蓋可能状態となるようにされており、閉蓋状態で前記台形状フック支持板の押込みにより該支持板が塑性変形して前記恒久ロック用フックと前記恒久ロック用段部１９とが係合するようにされており、前記蓋体のヒンジ部に隣接して該蓋体１０６および前記上面板１０３に弾性変形による係合・離脱可能な係合用ツメ１０７，１０４が形成され、前記蓋体の開蓋時に前記係合用ツメどうしが係合して前記蓋体が前記上面板に対して起立状態に保持され、前記係合用ツメどうしの係合は、前記蓋体の強制付勢力で該係合用ツメの弾性変形により離脱し、これによって前記蓋体は前記起立状態から容器本体１０２の背面側への転倒状態へ、前記背面側への転倒状態から起立状態〜蓋閉状態へと回動可能となるようにされており、前記投入口部材４は前記上面板３の前記長方形状の長穴３ａに対して脱着可能であり、前記投入口部材の除去後の前記上面板の前記長穴を嵩物医療廃棄物の投入口５とし、前記投入口部材４の投入口５は、廃棄注射器の外形に合わせた形状に形成されることを特徴とするものである。
【０００９】
また、前記投入口部材１４の前記投入口は注射針用投入口１５であり、該注射針用投入口１５には、徐々に幅径を狭くする溝部からなる注射針除去部１５ａを連接し、注射針の基端部が掛止される溝幅位置まで注射器を移動させた後、注射器を上方に引き上げ注射針を除去することを特徴とするものである。
【００１０】
また、前記容器本体の上面板３には、複数個の容器を上下方向に積み重ねをするための係合用段部９を形成することを特徴とするものである。
【発明の効果】
【００１１】
以上詳述したごとく、本発明の医療廃棄物用容器によれば、医療廃棄物を収納する容器本体、該容器本体の上面に取付け形成された上面板、該上面板に取付け取外し自在に配設され医療廃棄物投入口を有する投入口部材、前記上面板の投入口部材に対して閉蓋・開蓋自在の蓋体とからなることで、使用者が所望する各種の投入口形状の医療廃棄物用容器を容易に得ることができ、医療廃棄物用容器の製造・管理の効率が向上する。
【００１２】
また、投入口部材の投入口は、医療廃棄物の形状に合わせた投入口形状としたことで、使用者の希望に応じて投入口部材を入れ替えるだけで、たとえば注射針専用若しくは注射器の投入時の向きを規制する等の投入口部材を取り付けて細かな使用方法を設定したり、大きな投入口にして廃棄物を投入しやすくしたりすることが選択することができ、これにより使用者が所望する医療廃棄物用容器を容易に得ることができ、医療廃棄物用容器の製造・管理を効率的に行うことができる。
【００１３】
また、投入口部材は、各種の医療廃棄物の形状に合わせるべく投入口形状を異にする複数種の投入口部材の中から選択的に用いられることで、たとえば注射針専用としたり注射器の投入時の向きを規制したりする等、医療廃棄物に合わせた形状で開口されている投入口部材を取り付けることにより、医療廃棄物を投入口にならって確実に容器に投入することができ、安全でかつ便宜である。
【００１４】
また、上面板から投入口部材を取外しその開口部分を投入口とすることで、投入口が最大径となって医療廃棄物を投入しやすくなる。
【００１５】
また、投入口部材の投入口は、注射器の外形に合わせた形状とすることで、注射器が投入口から逆向きに投入されることを防止することができ、これにより容器内で注射針が投入口から突出して使用者の手指を刺す等の不慮の事故を防ぐことが可能となる。
【００１６】
また、投入口部材の注射針用投入口には、徐々に幅径を狭くする溝部からなる注射針除去部を連接し、注射針の基端部が掛止される溝幅位置まで注射器を移動させた後、注射器を上方に引き上げ注射針を除去することで、注射針に直接手を触れることなく注射器から注射針を安全に取外して容器に投入することができる。
【００１７】
また、蓋体及び／又は上面板は、一旦掛合させると掛合を解くことができない不可逆な掛合部を備えて前記蓋体を恒久的に閉蓋することで、容器が満杯になるまでは蓋体を開閉して安全に使用できるとともに、廃棄時には開蓋不可能として安全に処理することができる。
【００１８】
また、容器本体の底面と上面板には、複数個の容器を上下方向に係合して積み重ねをするための係合用段部を形成することで、医療廃棄物用容器を倒れる恐れなく安全にかつスペース効率良く積み重ねて収納することができる。
【００１９】
蓋体と容器本体のヒンジ部には、互いに係合離脱自在の係合用ツメをそれぞれに形成し、前記係合用ツメ係合時には、蓋体が容器本体側面方向への回動を阻止され、蓋体は一定の角度で起立状態が保持されることにより、使用者が医療廃棄物を廃棄した後、起立した状態の蓋体を軽く倒すだけで閉蓋状態にすることができる。したがって、血液や薬剤が付着した蓋体にほとんど触れることなく、迅速に蓋を閉めることができる。
【００２０】
蓋体のヒンジ部及び容器本体のヒンジ部に形成される係合用ツメは、弾性材により構成され、蓋体を一定角度容器本体側面方向に回動させると互いの係合用ツメは当接係止され、蓋体は容器本体側面方向への回動を阻止され一定角度で起立状態が保持されるとともに、蓋体を容器本体側面方向へ付勢したときには蓋体のヒンジ部に形成された係合用ツメは容器本体のヒンジ部に形成された係合用ツメの係止部を乗り越えて離脱し、蓋体は容器本体背面側に倒れるようにしたことで、蓋体が邪魔になることなく医療破棄物を四方から投入することができるとともに、安定した状態で医療廃棄物容器を運搬することができる。
【００２１】
容器本体背面側に位置する蓋体を、一定角度に起立したときには蓋体のヒンジ部に形成された係合用ツメの係合を乗り越えて双方のツメが当接係止され、蓋体は一定の角度で起立状態が保持されることにより、容器本体背面側から蓋体を起立させるだけで、蓋体の起立状態を保持することができる。
【００２２】
そして、このように、回動する蓋体の開閉角度を選択することができるようにしたことで、一種類の医療廃棄物容器を提供するだけで、使用者において所望の開蓋状態を選択することが可能となり、例えば机等の定位置に載置するときには蓋体の開放時には起立状態を保持させ、閉蓋するときには、起立した状態の蓋体を軽く倒すだけで閉蓋可能とするとともに、台車等の載せて運搬するときには、蓋体を容器本体側面側に倒した状態とし、容器の安定性を確保するとともに、四方から廃棄物を廃棄することができる。
【００２３】
蓋体のヒンジ部及び容器本体のヒンジ部に形成される係合用ツメは、互いに係合離脱自在な鉤形状としたことにより、係合用ツメの係合と離脱を小さな付勢力で行うことができる。
【発明を実施するための最良の形態】
【００２４】
図１及び図２は、使用済みの注射器等の医療廃棄物を収納するのに用いられる本発明の医療廃棄物用容器１の第１の実施例を示している。この医療廃棄物用容器１は、合成樹脂材から形成されてなり、容器本体２と、その容器本体２の上面に取付け形成された上面板３と、上面板３に取付け取外し自在に配設され医療廃棄物の形状に対応させた投入口５を有する投入口部材４と、上面板３の投入口部材４に対して閉蓋・開蓋自在の蓋体６とから構成されている。
【００２５】
上面板３は、容器本体２の上面投入口周縁に対して固定的に嵌合するとともに、ヒンジ部７を介して、蓋体６を開閉自在に連設している。ヒンジ部７は、上面板３と蓋体６の一辺間に一体的に形成されてなり、蓋体６を開蓋すべく起こすと、立ち上がった状態で静止する構造となっていて、閉蓋操作がしやすくなっている。
【００２６】
上面板３の中央には図４に示すごとく、長方形状の長穴３ａが形成されており、廃棄物を投入する投入口５を中央に設けた投入口部材４を着脱自在に配設している。一方蓋体６には、その長穴３ａに配設された投入口部材４を覆う凹状の被蓋部６ａを備えている。
この投入口部材４の投入口５は、本実施例にあってはほぼ注射器８の外形形状を有しており、左右逆向きにした注射器８を投入できないようにしている。
そして上面板３は、その上面四隅に医療廃棄物用容器１を上下方向に積み重ねるためにＬ字形状の周壁を有する係合用段部９を突設している。
【００２７】
蓋体６は、その一辺に形成したヒンジ部７を中心に回動して、投入口部材４の投入口５を自在に開閉するとともに、閉蓋すると図３に示すごとく、蓋体６の他辺の裏面に設けられたフック１１が、自動的に上面板３に形成された段部１２に着脱自在に係合する。これにより万が一容器１が転倒した場合でも、図２に示すごとく、安全に閉蓋状態を維持することができ、収納した注射器等が飛び出る恐れがない。そして開蓋する際には、蓋体６の表面側に突出している、フック１１と連設するつまみ１３を、手指でつまむように操作し図３における左方向に移動させることにより、フック１１が右方向に移動して係合していた段部１２から外れて開蓋するものである。
【００２８】
図４は、本発明の医療廃棄物用容器１の第２の実施例を示すもので、前述した第１の実施例の医療廃棄物用容器１から、投入口部材４を取り外した状態を示しており、この場合には前記長穴３ａがそのまま廃棄物の投入口となるもので、最大の開口径となることで容器が転倒した場合等に収納した廃棄物が長穴３ａから出るおそれがあるものの、大きな廃棄物でも投入しやすいという利点がある。
【００２９】
図５は、本発明の医療廃棄物用容器１の第３の実施例を示すもので、前述した第１の実施例の医療廃棄物用容器１における注射器用の投入口部材４の替わりに、注射器８から注射針を取り外して投入するための投入口部材１４を長穴３ａに配設するものである。この注射針用の投入口部材１４は、注射器８のシリンダーを通過させることなく注射針８ａを通過させることができる内径からなる円形の穴に、徐々に溝幅を狭くするテーパーの溝形状からなる注射針除去部１５ａを連通させた形状からなる注射針用投入口１５を備えてなり、この注射針用投入口１５の円形部分に注射器８に付いた注射針８ａを挿入して注射器８の先端を穴部に当接させた状態で、その注射器８を注射針除去部１５ａに移動させ、注射針８ａの基端部が幅狭の位置で掛止した状態で注射器８を上方に引き上げることで、注射針８ａは注射針除去部１５ａから持ち上がることなく注射器８から外れ、これにより注射針８ａに手を触れることなく注射針８ａを医療廃棄物用容器１内に落下・収納することができる。
【００３０】
図６（ａ）、（ｂ）は、医療廃棄物用容器１内に廃棄物が溜まり、これを廃棄する際に恒久的な閉蓋状態とすることができる構造を表しており、通常の開閉時に使用するフック１１の両脇に、不可逆な変形をさせて掛合する可動掛合部１６を形成している。図６の右側の可動掛合部１６Ａは、通常の状態を表し、図７（ａ）、（ｂ）の断面図に示すごとく、蓋体６の上面に突出する台形状のフック支持板１７と、その下方に突設するフック１８とから構成されている。この台形状のフック支持板１７は、下方に強く押し込むことにより４個所の線状の折曲部が逆に折れ曲がって、図６の左側の可動掛合部１６Ｂのごとく、フック支持板１７が蓋体６の表面から凹むものである。これにより、フック１８はその下方に位置する図７に示す段部１９と掛合し、この一旦掛合したフック１８と段部１９とは、医療廃棄物用容器１を無理に破壊すること以外には掛合を解くことができず、これにより収納した廃棄物を露出させる恐れなく安全に廃棄処理することができるものである。
【００３１】
また、本発明の医療廃棄物用容器１の上部には、医療廃棄物用容器１の底部と係合する上下方向に積み重ねるためにＬ字形状の周壁を有する係合用段部９を形成したことから、医療廃棄物用容器１を複数個上下方向に積み重ねた場合でもずれたり滑ったりすることなく安全にかつスペース効率良く積み重ねすることができる。
【００３２】
図８乃至図１９は、使用済みの注射器等の医療廃棄物を収納するのに用いられる本発明の医療廃棄物用容器の第４の実施例を示しており、図８乃至図１４は蓋体１０６の起立状態を表し、図１５乃至図１９は蓋体１０６が容器本体背面１２０側へ倒れた状態を表す。
【００３３】
この医療廃棄物用容器１０１は、上述した医療廃棄物用容器１とは、ヒンジ部１０５の構造が異なり、蓋体１０６の開蓋角度を選択することができる構成のものである。医療廃棄物用容器１０１は、合成樹脂材から形成されてなり、容器本体１０２と、容器本体１０２上に開口部周縁１１５に対して固定的に嵌合取り付けされてなり投入口１１８が形成された上面板１０３と、上面板１０３に対して閉蓋・開蓋自在の蓋体１０６とから構成されている。
【００３４】
図８、図１２に示すように、蓋体１０６は、容器本体１０２背面側に設けられるヒンジ部１０５において、上面板１０３対して回動自在に軸支されている。蓋体１０６は、容器本体１０２側に形成された軸棒が蓋体１０６側に形成された湾曲溝に嵌合したヒンジ本体１０８ａ、ヒンジ本体１０８ｂにより軸支され、開蓋・閉蓋自在になっている。そして、この二つのヒンジ本体１０８ａ、ヒンジ本体１０８ｂは間隔を置いて形成され、その間に蓋体１０６の起立状態を保持するための係合用ツメ１０４が上面板１０３側に、また係合用ツメ１０７が蓋体１０６側に、それぞれ配設されている。
【００３５】
図８、図９、図１０に示すように、係合用ツメ１０４、１０７は、弾性材で形成され本実施の形態においては、係合用ツメ１０４，１０７の係合が蓋体１０６を付勢したときに離脱可能な程度に撓む弾性を有する合成樹脂材からなる。上面板１０３に形成されている係合用ツメ１０４は、上面板１０３の容器本体背面１２０側に突設形成され容器本体背面１２０側に向かって屈曲する鉤形状に形成されている。一方、蓋体１０６に形成される係合用ツメ１０７は、係合用ツメ１０４を受ける構造で容器本体正面１１９側に向かって湾曲する鉤形状に形成されている。
【００３６】
蓋体１０６閉蓋時において、係合用ツメ１０４は、係合用ツメ１０７に内包され、係合状態は解かれている。
【００３７】
図９乃至図１４に示すように、蓋体１０６を開蓋していくと、その過程で係合用ツメ１０４と係合用ツメ１０７は互いに係合を始め、図９のヒンジ部拡大図及び図１３の断面図のごとく、蓋体１０６を一定角度、本実施の形態においては１２０°に開蓋したとき、係合用ツメ１０４と係合用ツメ１０７は互いに係合し、係合する係合用ツメ１０４、係合用ツメ１０７が当接して互いに当接係止され、蓋体１０６は、容器本体背面方向への回動を阻止されて、図１４の側面図に示すごとく蓋体１０６は、一定の角度での起立状態が保持される構成になっている。これにより、起立した状態の蓋体を上面板１０３側へ軽く倒すだけで閉蓋状態にすることができる。したがって、血液や薬剤が付着した蓋体にほとんど触れることなく、迅速に蓋を閉めることができる。
【００３８】
図１５乃至図１９に示すように、蓋体１０６の起立状態からさらに、蓋体１０６を容器本体側面側に付勢したときには、図１８の断面図のごとく、係合用ツメ１０４、係合用ツメ１０７が付勢力により若干撓み、蓋体１０６のヒンジ部に形成された係合用ツメ１０７の先端部分の係止部１０７ａは、容器本体のヒンジ部に形成された係合用ツメ１０４を乗り越えて、双方の係合用ツメの係合状態が離脱し、蓋体１０６は自由になって容器本体背面側に倒れる構成になっている。これにより、蓋体が邪魔になることなく医療破棄物を四方から投入することができるとともに、安定した状態で医療廃棄物容器を運搬することができる。
【００３９】
また、容器本体背面１２０側に位置する蓋体１０６を再び一定角度に起立させたときには蓋体１０６のヒンジ部に形成された係合用ツメ１０７の係合部１０７ａは容器本体のヒンジ部に形成された係合用ツメ１０４を乗り越えて双方のツメが当接係止され、蓋体１０６は一定の角度で起立状態が保持されることにより、蓋体１０６を起立させるだけで、起立状態を保持することができる。
【００４０】
そして、このように、蓋体の開閉角度を選択することができるようにしたことで、例えば、一つの医療廃棄物容器において所望の開蓋状態を選択することが可能となり、例えば机等の定位置に載置するときには蓋体の開放時には起立状態を保持させ、閉蓋するときには、起立した状態の蓋体を軽く倒すだけで閉蓋可能とするとともに、台車等に載せて運搬するときには、蓋体を容器本体背面側に倒した状態とし、容器の安定性を確保するとともに、四方から廃棄物を廃棄することができる。よって、開蓋角度別にそれぞれ異なる構成の医療廃棄物容器を提供せずとも、一つの構成の医療廃棄物容器を提供するだけで使用者が所望の開蓋角度を選択できるとともに、閉蓋したときには、同一構造である全ての医療廃棄物容器がしっかりと積み重なるようになっている。
【００４１】
尚、図８及び図１０に示すごとく、上面板１０３の中央には、長方形状の投入口１１８が形成されており、種々の形状の医療廃棄物を廃棄する場合には、この投入口１１８から廃棄できるようになっている。また、図１５に示すように、注射器を廃棄する際には、投入口１１４を中央に設けた投入口部材１１３を着脱自在に配設できるようになっている。この投入口部材１１３の投入口１１４は、本実施例にあってはほぼ注射器の外形形状を有しており、左右逆向きにした注射器を投入できないようにしている。また、蓋体１０６には、投入口部材１１３を覆う凹状の被蓋部１０６ａを備えている。
【００４２】
上面板１０３には、その上面四隅に医療廃棄物用容器１を上下方向に積み重ねるためにＬ字形状の周壁を有する係合用段部１０９ａ、係合用段部１０９ｂ、係合用段部１０９ｃ、係合用段部１０９ｄを突設し、閉蓋状態にある医療用廃棄物用容器１０１を積み重ねることができるようになっている。
【００４３】
蓋体１０６閉蓋時には、蓋体１０６の他辺の裏面に設けられたフック１１１が、自動的に上面板１０３に形成された段部１１２に着脱自在に係合する。これにより万が一容器１０１が転倒した場合でも、安全に閉蓋状態を維持することができ、収納した注射器等が飛び出る恐れがない。そして開蓋する際には、蓋体１０６の表面側に突出しているフック１１１と連設するつまみ１１０を、手指でつまむように操作し左方向に移動させることにより、フック１１１が右方向に移動して係合していた段部１１２から外れて開蓋するものである。
【００４４】
また、医療廃棄物用容器１０１内は、廃棄物が溜まり、これを廃棄する際に恒久的な閉蓋状態とすることができる構造となっており、通常の開閉時に使用するフック１１１の両脇に、不可逆な変形をさせて掛合する可動掛合部１１６ａ、１１６ｂを形成している。可動掛合部１１６ａ、１１６ｂは、下方に強く押し込むことにより４個所の線状の折曲部が逆に折れ曲がって、蓋体１０６の表面から凹むものである。これにより、段部１０３ａ、１０３ｂとそれぞれ掛合し、この一旦掛合した係合部は医療廃棄物用容器１０１を無理に破壊すること以外には掛合を解くことができず、これにより収納した廃棄物を露出させる恐れなく安全に廃棄処理することができるものである。
【図面の簡単な説明】
【００４５】
【図１】本発明の医療廃棄物用容器の第１の実施例の開蓋状態を示す斜視図である。
【図２】本発明の医療廃棄物用容器の閉蓋状態を示す斜視図である。
【図３】本発明の医療廃棄物用容器の要部断面図である。
【図４】本発明の医療廃棄物用容器の第２の実施例を示す斜視図である。
【図５】本発明の医療廃棄物用容器の第３の実施例を示す斜視図である。
【図６】本発明の医療廃棄物用容器の可動掛合部を示し、（ａ）は上方から見た斜視図、（ｂ）は下方から見た斜視図である。
【図７】本発明の医療廃棄物用容器の可動掛合部を示し、（ａ）は横断面図、（ｂ）は縦断面図である。
【図８】本発明の医療廃棄物容器の第４の実施例の蓋体が起立状態で開蓋した状態を示す斜視図である。
【図９】図８に示す医療廃棄物容器のヒンジ部の拡大図である。
【図１０】図８に示す医療廃棄物容器の平面図である。
【図１１】図８に示す医療廃棄物容器の背面図である。
【図１２】図８に示す医療廃棄物容器のＡ−Ａ断面図である。
【図１３】図８に示す医療廃棄物容器のＢ−Ｂ断面図である。
【図１４】図８に示す医療廃棄物容器の側面図である。
【図１５】本発明の医療廃棄物容器の第４の実施例の蓋体が容器本体背面側へ倒れて開蓋した状態を示す斜視図である。
【図１６】図１５に示す医療廃棄物容器の平面図である。
【図１７】図１５に示す医療廃棄物容器の背面図である。
【図１８】図１５に示す医療廃棄物容器のヒンジ部における断面図である。
【図１９】図１５に示す医療廃棄物容器の側面図である。
【符号の説明】
【００４６】
１  医療廃棄物用容器
２  容器本体
３  上面板
３ａ  長穴
４  投入口部材
５  投入口
６  蓋体
６ａ  被蓋部
７  ヒンジ部
８  注射器
８ａ  注射針
９  係合用段部
１１  フック
１２  段部
１３  つまみ
１４  投入口部材
１５  注射針用投入口
１５ａ  注射針除去部
１６  可動掛合部
１７  フック支持板
１８  フック
１９  段部
１０１  医療廃棄物用容器
１０２  容器本体
１０３  上面板
１０４  係合用ツメ
１０５  ヒンジ部
１０６  蓋体
１０７  係合用ツメ
１０８  ヒンジ本体
１０９  係合用段部
１１０  つまみ
１１１  フック
１１２  段部
１１３  投入口部材
１１４  投入口
１１５  容器本体周縁部
１１６  可動掛合部
１１７  持ち運び用ハンドル
１１８  投入口
１１９  容器本体正面
１２０  容器本体背面
【図１】
0005226397.tif 000002
【図２】
0005226397.tif 000003
【図３】
0005226397.tif 000004
【図４】
0005226397.tif 000005
【図５】
0005226397.tif 000006
【図６】
0005226397.tif 000007
【図７】
0005226397.tif 000008
【図８】
0005226397.tif 000009
【図９】
0005226397.tif 000010
【図１０】
0005226397.tif 000011
【図１１】
0005226397.tif 000012
【図１２】
0005226397.tif 000013
【図１３】
0005226397.tif 000014
【図１４】
0005226397.tif 000015
【図１５】
0005226397.tif 000016
【図１６】
0005226397.tif 000017
【図１７】
0005226397.tif 000018
【図１８】
0005226397.tif 000019
【図１９】
0005226397.tif 000020